(57)【要約】【課題】スピーカーを備える薄型表示装置において、狭額縁を効果的に実現する技術が求められていた。【解決手段】液晶テレビでは、外観部品も兼ねるボトムカバー２０にスピーカーユニットを取り付けるためのＳＰ用ボスが設けられている。ボトムカバー２０の装飾露出部２１とボトムベース部２２との境界部分には、ボトムカバー２０をバックライトシャーシ（アルミフレーム１４）に取り付ける為の前面側に延出するカバーリブ４０が複数形成されており、アルミフレーム１４のボトムカバー取付開口部７０に挿入嵌合される。【選択図】図８
2014167501.tif 000002
【特許請求の範囲】
【請求項１】
表示パネルの外周部分のフレームと、
前記表示パネルの下側部分を覆うように配置されるボトムカバーと、
前記ボトムカバーに取り付けられ、前記表示パネルの背面の領域に配置されたスピーカーと、
前記フレームの下側部分に形成された開口部と、
前記ボトムカバーに形成され、前記開口部に挿入されるリブと
を備えることを特徴とする薄型表示装置。
【請求項２】
前記リブは、平板状リブと、前記平板状リブの根元部分に凸状に形成された補助リブとを備え、
前記平板リブの厚さと前記補助リブとの高さの和が、前記開口部の高さに略等しく設定されている
ことを特徴とする請求項１に記載の薄型表示装置。
【請求項３】
前記ボトムカバーは、前記表示パネルの下側に露出する部分において、左右方向略中央部分に下側に膨れる膨出部分を備え、前記膨出部分以外の領域で前記リブが前記開口部に挿入することを特徴とする請求項１又は２に記載の薄型表示装置。
【発明の詳細な説明】
【技術分野】
【０００１】
本発明は、スピーカーを備える薄型表示装置に関する。
【背景技術】
【０００２】
近年の薄型テレビにおいて、狭額縁モデルが主流となりつつあり、特に上級グレードにおいてその傾向が強い。そのため、フロントキャビネットの額縁を広くすることなく機能部品を配置できる構造が求められている。
【０００３】
そのような構造として考慮すべき機能部品の一つが、スピーカー（スピーカーユニット）であって、狭額縁を実現すべく、スピーカーユニット等の取り付けに起因する額縁寸法の増大を防止する技術が必要である。また、スピーカーユニットを薄くするために、強度不足に陥るおそれがある。またスピーカーユニットを表示部の下に配置する構造のため、ユーザーは、スピーカーユニットの下からテレビを持ちあげることも多く、スピーカーユニットと表示部の間が変形してしまうことを防ぐ強度対策が必要であった。
【０００４】
そのような対策技術として、例えば、キャビネットにおけるブラウン管を支える部分に設けた複数列の格子状のリブの交叉する箇所に突出形成されたボスとブラウン管と接触する側のリブとのコーナー部分が、落下等の衝撃によって割れや破断が生じることを防ぐことができ、このコーナー部分の強度を向上することができる映像装置の補強構造及びキャビネットの補強構造を提供する技術がある（例えば特許文献１参照）。
【先行技術文献】
【特許文献】
【０００５】
【特許文献１】特開２００３−２３００７５号公報
【発明の概要】
【発明が解決しようとする課題】
【０００６】
ところで、特許文献１に開示の技術では、テレビセットにおいて、フロント部に関する部分のキャビをリブで強化することができる。しかし、表示部のフロントの周囲にリブを配し強度強化を図ることができるが、フロント下部のスピーカーユニットと表示部間の強度強化については不十分であって別の技術が必要とされていた。
【０００７】
本発明は以上のような状況に鑑みなされたものであって、上記課題を解決する技術を提供することを目的とする。
【課題を解決するための手段】
【０００８】
本発明の薄型表示装置は、表示パネルの外周部分のフレームと、前記表示パネルの下側部分を覆うように配置されるボトムカバーと、前記ボトムカバーに取り付けられ、前記表示パネルの背面の領域に配置されたスピーカーと、前記フレームの下側部分に形成された開口部と、前記ボトムカバーに形成され、前記開口部に挿入されるリブとを備える。
また、前記リブは、平板状リブと、前記平板状リブの根元部分に凸状に形成された補助リブとを備え、前記平板リブの厚さと前記補助リブとの高さの和が、前記開口部の高さに略等しく設定されてもよい。
また、前記ボトムカバーは、前記表示パネルの下側に露出する部分において、左右方向略中央部分に下側に膨れる膨出部分を備え、前記膨出部分以外の領域で前記リブが前記開口部に挿入してもよい。
【発明の効果】
【０００９】
本発明によれば、スピーカーを備える薄型表示装置において、フロント下部のスピーカーユニットと表示部との間の強度強化を実現することができる。
【図面の簡単な説明】
【００１０】
【図１】本発明の実施形態に係る、液晶テレビの背面の斜視図である。
【図２】本発明の実施形態に係る、液晶テレビの背面図である。
【図３】本発明の実施形態に係る、液晶テレビの背面について、バックライトシャーシとボトムカバーとを分離して示す斜視図である。
【図４】本発明の実施形態に係る、液晶テレビのバックライトシャーシの一部拡大斜視図である。
【図５】本発明の実施形態に係る、ボトムカバーの斜視図である。
【図６】本発明の実施形態に係る、ボトムカバーの一部拡大図である。
【図７】本発明の実施形態に係る、ボトムカバーの取付構造であって、図１の領域Ａ１を拡大して示す図である。
【図８】本発明の実施形態に係る、ボトムカバーのカバーリブとアルミフレームのボトムカバー取付開口部との接続構造を示す断面図である。
【図９】本発明の実施形態に係る、ボトムカバーのカバーリブとアルミフレームのボトムカバー取付開口部との接続構造を模式的に示す図である。
【発明を実施するための形態】
【００１１】
次に、本発明を実施するための形態（以下、単に「実施形態」という）を、図面を参照して具体的に説明する。なお、本実施形態では表示装置として液晶テレビ１０について例示するが、他にも有機ＥＬテレビ等の薄型表示装置に適用することができる。
【００１２】
図１は、本実施形態に係る液晶テレビ１０の背面の斜視図であり、図２は液晶テレビ１０の背面図である。なお、図１及び図２では、リアカバー１９（図８参照）を外して内部構造が認識可能に示している。図示のように、液晶テレビ１０の背面は、リアカバー１９を取り外した状態で、バックライトシャーシ１２が露出しており、また、２本の補強アングル１３が上下方向に配置されている。
【００１３】
図３の斜視図は、液晶テレビ１０の背面について、バックライトシャーシ１２とボトムカバー２０とを分離して示している。この液晶テレビ１０では、外観部品も兼ねるボトムカバー２０にスピーカーユニット５０を取り付けるためのＳＰ用ボス３０が設けられている。また、図１や図２に示すように、バックライトシャーシ１２上（背面側）にスピーカーユニット５０が配置されている。このような構成を採用することで、液晶テレビ１０の狭額縁化を実現する。
【００１４】
図４は、バックライトシャーシ１２の背面で視右下部分の領域（図１の領域Ａ１や図２の領域Ｂ１に対応する領域）を示している。バックライトシャーシ１２は、表示パネル１１の外枠構造としてアルミフレーム１４を備えている。そして、アルミフレーム１４の下側の領域には、背面側からボトムカバー２０を取り付けるためのボトムカバー取付開口部７０が設けられている。
【００１５】
ボトムカバー取付開口部７０は、左右方向が長手方向となる長方形形状を呈しており、アルミフレーム１４の左右それぞれに２つ並んで合計４つ形成されている。ボトムカバー取付開口部７０には後述するボトムカバー２０のカバーリブ４０が挿入される。つまり、ボトムカバー取付開口部７０の形状は、カバーリブ４０の形状にあわせた形状に設定されている。
【００１６】
図５はボトムカバー２０の斜視図であり、図５（ａ）は背面側から見た斜視図であって、図５（ｂ）は正面側（表示パネル１１側）から見た斜視図である。また、図６は図５（ａ）の領域Ｄ１に対応する部分を示した図であり、図６（ａ）は平面図（上面図）であり、図６（ｂ）は背面図から見た図であり、図６（ｃ）は側面図である。
【００１７】
ボトムカバー２０は、表示パネル１１の下側部分に取り付けられる左右に延びる樹脂成形部品であって、正面視で表示パネル１１の下側から一部露出する装飾露出部２１と、装飾露出部２１の表示パネル１１の背面に隠れるボトムベース部２２とを備えて一体構成されている。
【００１８】
ボトムベース部２２は、装飾露出部２１の上側に形成され、さらに、ボトムベース部２２の上側の所定の２カ所の位置に、回路基板２７等を固定するための基板取り付け部２６が設けられている。基板取付部２６は、背面側に一段低く形成されており、図１や図２に示すように、バックライトシャーシ１２に取り付けられた状態で、放熱板１８の位置になるように形成されている。
【００１９】
さらに、ボトムベース部２２にはスピーカーユニット５０を取り付ける為のＳＰ用ボス３０が設けられている。ＳＰ用ボス３０は、２つ１セットであって、左右の２領域にそれぞれ１セットずつ設けられ、後述するスピーカーユニット５０のＳＰ固定部５３とネジ固定される。より具体的には、例えば、図６の背面視右側領域に示すように、１セットのＳＰ用ボス３０は、ほぼ基板取付部２６が形成される位置より左右方向で若干外側に位置して、かつ、ボトムベース部２２から背面方向垂直に所定長で形成されている。
【００２０】
また、装飾露出部２１とボトムベース部２２との境界部分には、ボトムカバー２０をバックライトシャーシ１２（アルミフレーム１４）に取り付ける為の前面側に延出するカバーリブ４０が複数形成されており、上述したようにボトムカバー取付開口部７０に挿入嵌合される。
【００２１】
より具体的には、カバーリブ４０は、水平の板状の平板リブ４１と、平板リブ４１の根元部分上側に複数設けられた断面凸状の補強リブ４２とを備えている。補強リブ４２の長さは、平板リブ４１の長さより短く、カバーリブ４０が挿入されたときに、例えば、ボトムカバー取付開口部７０の深さの１／４〜１／２程度まで達するように形成されている。
【００２２】
平板リブ４１の幅は、カバーリブ４０が挿入されるボトムカバー取付開口部７０の幅に対応して設定されており、若干短い寸法に設定されている。また、平板リブ４１の厚さと補強リブ４２の高さの合計がボトムカバー取付開口部７０の高さに対応して設定されており、上記と同様に若干短い寸法に設定されている。なお、本実施形態では、補強リブ４２は平板リブ４１の上面だけに設けられているが、下面に設けられてもよい。
【００２３】
また、装飾露出部２１の左右中央部分には下側に若干膨らんだ膨出部２８が形成されている。膨出部２８にはリモコン受光部等が取り付けられる。装飾露出部２１において、膨出部２８以外の左右の領域は、上下方向の幅は実質無いに等しく、その背面には部品等を取り付ける空間はない。
【００２４】
図７に示すボトムカバー２０とバックライトシャーシ１２（アルミフレーム１４）との取付状態を示す。また、図８にボトムカバー２０とバックライトシャーシ１２（アルミフレーム１４）との取付状態の断面側面図を示す。更に、図９にアルミフレーム１４のボトムカバー取付開口部７０にカバーリブ４０を挿入し嵌合させる手順を模式的に示す。
【００２５】
カバーリブ４０をボトムカバー取付開口部７０に挿入し、固定穴５４とＳＰ用ボス３０との穴とを一致させるように、スピーカーユニット５０を配置してネジ８１を留めることで、ボトムカバー２０にスピーカーユニット５０が固定される。
【００２６】
図示のように、ボトムカバー２０において、スピーカーユニット５０を固定するボトムベース部２２が表示部１１（バックライトシャーシ１２）の背面になるように配置されている。さらに、リアカバー１９（リアキャビネット）は、スピーカーユニット５０が配置された領域で後ろ方向に膨らんで、スピーカー本体５１（発音部）の先まで、つまり、スピーカーユニット５０を完全に覆うように設けられている。さらに、リアカバー１９において、スピーカー本体５１の出力前方側の領域に音声出力用開口１９ａが形成されている。
【００２７】
ここで、カバーリブ４０とボトムカバー取付開口部７０との嵌合位置は膨出部２８の領域から外れている。そのため、ユーザー等が液晶テレビ１０を設置・運搬等するために掴む場合には、膨出部２８を避けた位置、つまりカバーリブ４０とボトムカバー取付開口部７０との嵌合位置もしくはその近傍位置を掴むことになる。したがって、ユーザーが掴んで作業することに伴い、ボトムカバー２０等が外れることは無い。
【００２８】
特に、掴んで作業する場合、どうしてもユーザーの力の入れ方によって、掴んだ位置に回転方向の力が作用してしまうことがある。その場合、掴んだ位置から離れた位置でボトムカバー２０が固定されていると、掴んだ位置で大きな回転モーメントが作用することになり、僅かな力でも外れてしまうおそれがある。
【００２９】
しかし、本実施形態では、上述のように、掴むことになる位置又はその近傍でボトムカバー２０が固定されており、さらに、補強リブ４２でボトムカバー取付開口部７０における嵌合位置において上下方向の位置決めが確実になされている。そのため、ボトムカバー２０が外れてしまうことが効果的に防止できる。
【００３０】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。例えば、表示パネル１１のフレームとしてアルミフレーム１４が用いられたが、例えば、スチール製等の金属のフレームが用いられてもよく、さらに金属以外であっても所望の強度を有する材質のフレームであってもよい。
【符号の説明】
【００３１】
１０  液晶テレビ
１１  表示パネル
１２  バックライトシャーシ
１４  アルミフレーム
１９  リアカバー（リアキャビネット）
２０  ボトムカバー
２１  装飾露出部
２２  ボトムベース部
３０  ＳＰ用ボス
４０  カバーリブ
４１  平板リブ
４２  補強リブ
５０  スピーカーユニット
５１  スピーカー本体
５３  ＳＰ固定部
５４  固定穴
７０  ボトムカバー取付開口部
【図１】
2014167501.tif 000003
【図２】
2014167501.tif 000004
【図３】
2014167501.tif 000005
【図４】
2014167501.tif 000006
【図５】
2014167501.tif 000007
【図６】
2014167501.tif 000008
【図７】
2014167501.tif 000009
【図８】
2014167501.tif 000010
【図９】
2014167501.tif 000011